(57)【要約】【課題】文書が改版された場合に、文書の更新箇所を容易に把握する。【解決手段】差分抽出部１０３は、利用者端末２−１，２−２から送信された文書ソースと記憶部１０６に記憶された最新版の文書ソースとの差分を抽出する。更新履歴管理部１０４は、差分が抽出されると、インクリメントしたカウント値を改版番号として付記した改版タグを文書ソース中の差分が抽出された箇所に埋め込み、記憶部１０６に記憶させる。表示属性テーブル１０７は、改版タグの改版番号ごとに、その改版タグが埋め込まれた箇所を利用者端末２−１，２−２に表示する際の表示属性を記憶する。表示データ生成部１０８は、最新版の文書ソースを利用者端末２−１，２−２に送信するに際し、表示属性テーブル１０７を参照して、最新版の文書ソース中の改版タグが埋め込まれた箇所の表示属性を、その改版タグに付記された改版番号に応じて設定する。【選択図】図１
2007257000.tif 000002
【特許請求の範囲】
【請求項１】
複数の利用者の各々が利用する複数の端末と、前記複数の利用者が共有する文書を管理する文書共有サーバとを有してなる文書共有システムであって、
前記文書共有サーバは、
最新版の文書ソースを記憶する記憶部と、
前記端末から文書ソースが送信されてくると、当該文書ソースと前記記憶部に記憶された最新版の文書ソースとの差分を抽出する差分抽出部と、
前記差分抽出部にて文書ソースの差分が抽出されると、カウンタのカウント値をインクリメントし、インクリメント後のカウント値となる改版番号を付記した改版タグを文書ソース中の差分が抽出された箇所に埋め込み、当該改版タグが埋め込まれた文書ソースを最新版として前記記憶部に記憶させる更新履歴管理部と、
前記改版タグの改版番号ごとに、当該改版タグが埋め込まれた箇所を前記端末に表示する際の表示属性を記憶する表示属性テーブルと、
前記記憶部に記憶された最新版の文書ソースを前記端末に送信するに際し、前記表示属性テーブルを参照して、最新版の文書ソース中の前記改版タグが埋め込まれた箇所の表示属性を当該改版タグに付記された改版番号に応じて設定した上で、前記端末に文書ソースを送信する表示データ生成部とを有することを特徴とする文書共有システム。
【請求項２】
前記表示属性テーブルは、前記改版タグの改版番号ごとに、当該改版タグが埋め込まれた箇所の表示サイズを前記表示属性として記憶する、請求項１に記載の文書共有システム。
【請求項３】
前記表示属性テーブルは、前記改版タグの改版番号ごとに、当該改版タグが埋め込まれた箇所の表示色を前記表示属性として記憶する、請求項１に記載の文書共有システム。
【請求項４】
複数の端末を各々利用する複数の利用者が共有する文書を管理する文書共有サーバであって、
最新版の文書ソースを記憶する記憶部と、
前記端末から文書ソースが送信されてくると、当該文書ソースと前記記憶部に記憶された最新版の文書ソースとの差分を抽出する差分抽出部と、
前記差分抽出部にて文書ソースの差分が抽出されると、カウンタのカウント値をインクリメントし、インクリメント後のカウント値となる改版番号を付記した改版タグを文書ソース中の差分が抽出された箇所に埋め込み、当該改版タグが埋め込まれた文書ソースを最新版として前記記憶部に記憶させる更新履歴管理部と、
前記改版タグの改版番号ごとに、当該改版タグが埋め込まれた箇所を前記端末に表示する際の表示属性を記憶する表示属性テーブルと、
前記記憶部に記憶された最新版の文書ソースを前記端末に送信するに際し、前記表示属性テーブルを参照して、最新版の文書ソース中の前記改版タグが埋め込まれた箇所の表示属性を当該改版タグに付記された改版番号に応じて設定した上で、前記端末に文書ソースを送信する表示データ生成部とを有することを特徴とする文書共有サーバ。
【請求項５】
前記表示属性テーブルは、前記改版タグの改版番号ごとに、当該改版タグが埋め込まれた箇所の表示サイズを前記表示属性として記憶する、請求項４に記載の文書共有サーバ。
【請求項６】
前記表示属性テーブルは、前記改版タグの改版番号ごとに、当該改版タグが埋め込まれた箇所の表示色を前記表示属性として記憶する、請求項４に記載の文書共有サーバ。
【請求項７】
複数の端末を各々利用する複数の利用者が共有する文書を管理する文書共有サーバによる文書共有方法であって、
最新版の文書ソースを記憶部に記憶するステップと、
前記端末から文書ソースが送信されてくると、当該文書ソースと前記記憶部に記憶された最新版の文書ソースとの差分を抽出するステップと、
文書ソースの差分が抽出されると、カウンタのカウント値をインクリメントし、インクリメント後のカウント値となる改版番号を付記した改版タグを文書ソース中の差分が抽出された箇所に埋め込み、当該改版タグが埋め込まれた文書ソースを最新版として前記記憶部に記憶させるステップと、
前記改版タグの改版番号ごとに、当該改版タグが埋め込まれた箇所を前記端末に表示する際の表示属性を表示属性テーブルに記憶するステップと、
前記記憶部に記憶された最新版の文書ソースを前記端末に送信するに際し、前記表示属性テーブルを参照して、最新版の文書ソース中の前記改版タグが埋め込まれた箇所の表示属性を当該改版タグに付記された改版番号に応じて設定した上で、前記端末に文書ソースを送信するステップとを有することを特徴とする文書共有方法。
【請求項８】
前記表示属性テーブルに前記表示属性を記憶するステップでは、前記改版タグの改版番号ごとに、当該改版タグが埋め込まれた箇所の表示サイズを前記表示属性として記憶する、請求項７に記載の文書共有方法。
【請求項９】
前記表示属性テーブルに前記表示属性を記憶するステップでは、前記改版タグの改版番号ごとに、当該改版タグが埋め込まれた箇所の表示色を前記表示属性として記憶する、請求項７に記載の文書共有方法。
【請求項１０】
複数の端末を各々利用する複数の利用者が共有する文書を管理する文書共有サーバに、
最新版の文書ソースを記憶部に記憶するステップと、
前記端末から文書ソースが送信されてくると、当該文書ソースと前記記憶部に記憶された最新版の文書ソースとの差分を抽出するステップと、
文書ソースの差分が抽出されると、カウンタのカウント値をインクリメントし、インクリメント後のカウント値となる改版番号を付記した改版タグを文書ソース中の差分が抽出された箇所に埋め込み、当該改版タグが埋め込まれた文書ソースを最新版として前記記憶部に記憶させるステップと、
前記改版タグの改版番号ごとに、当該改版タグが埋め込まれた箇所を前記端末に表示する際の表示属性を表示属性テーブルに記憶するステップと、
前記記憶部に記憶された最新版の文書ソースを前記端末に送信するに際し、前記表示属性テーブルを参照して、最新版の文書ソース中の前記改版タグが埋め込まれた箇所の表示属性を当該改版タグに付記された改版番号に応じて設定した上で、前記端末に文書ソースを送信するステップとを実行させることを特徴とするプログラム。
【請求項１１】
前記表示属性テーブルに前記表示属性を記憶するステップでは、前記改版タグの改版番号ごとに、当該改版タグが埋め込まれた箇所の表示サイズを前記表示属性として記憶する、請求項１０に記載のプログラム。
【請求項１２】
前記表示属性テーブルに前記表示属性を記憶するステップでは、前記改版タグの改版番号ごとに、当該改版タグが埋め込まれた箇所の表示色を前記表示属性として記憶する、請求項１０に記載のプログラム。
【発明の詳細な説明】
【技術分野】
【０００１】
本発明は、複数の利用者が文書を共有し、文書の内容を自由に読み書きするための文書共有システム、文書共有サーバ、文書共有方法、および文書共有用プログラムに関する。
【背景技術】
【０００２】
従来の文書共有システムでは、文書の改版管理はページ単位で行われる（特許文献１参照）。例えば、ある利用者が、ページ内容を編集・追加・削除などにより更新した場合、そのページ全体の最終更新時刻が変更され、そのページがページリストの上位に表示される。それにより、他の利用者は、そのページが更新されたことを知ることができるが、ページ内のどの箇所が更新されたかはページリストの表示には反映されない。
【０００３】
また、利用者が過去のある版を指定すると、その版の文書と最新版の文書との差分を表示する差分表示機能を持つ文書共有システムもある。しかし、この文書共有システムでは、利用者が比較対象となる版を明示的に指定しなければならない。そのため、利用者は、頻繁に更新されるページにおいて、更新された箇所だけを閲覧したい場合、更新された箇所を見つけ出すには、差分表示機能の呼び出しを何度も繰り返し、自分が前回閲覧した版を見つけ出さなければならない。また、どのような経過をたどってそのページの内容ができあがっていったのかを利用者が知ることは困難である。
【特許文献１】特開２００４−２６４９２９号公報
【発明の開示】
【発明が解決しようとする課題】
【０００４】
上述したように従来の文書共有システムでは、文書の改版管理はページ単位で行われていたため、文書が改版された場合、改版により更新されたページを把握することはできるものの、そのページ内の更新箇所を把握することは困難であるという課題があった。
【０００５】
そこで、本発明の目的は、文書が改版された場合に、文書の更新箇所を容易に把握することができる文書共有システム、文書共有サーバ、文書共有方法、および文書共有用プログラムを提供することにある。
【課題を解決するための手段】
【０００６】
上記目的を達成するために本発明は、
複数の利用者の各々が利用する複数の端末と、前記複数の利用者が共有する文書を管理する文書共有サーバとを有してなる文書共有システムであって、
前記文書共有サーバは、
最新版の文書ソースを記憶する記憶部と、
前記端末から文書ソースが送信されてくると、当該文書ソースと前記記憶部に記憶された最新版の文書ソースとの差分を抽出する差分抽出部と、
前記差分抽出部にて文書ソースの差分が抽出されると、カウンタのカウント値をインクリメントし、インクリメント後のカウント値となる改版番号を付記した改版タグを文書ソース中の差分が抽出された箇所に埋め込み、当該改版タグが埋め込まれた文書ソースを最新版として前記記憶部に記憶させる更新履歴管理部と、
前記改版タグの改版番号ごとに、当該改版タグが埋め込まれた箇所を前記端末に表示する際の表示属性を記憶する表示属性テーブルと、
前記記憶部に記憶された最新版の文書ソースを前記端末に送信するに際し、前記表示属性テーブルを参照して、最新版の文書ソース中の前記改版タグが埋め込まれた箇所の表示属性を当該改版タグに付記された改版番号に応じて設定した上で、前記端末に文書ソースを送信する表示データ生成部とを有することを特徴とする。
【０００７】
なお、前記表示属性テーブルは、前記改版タグの改版番号ごとに、当該改版タグが埋め込まれた箇所の表示サイズを前記表示属性として記憶するものであっても良く、また、前記表示属性テーブルは、前記改版タグの改版番号ごとに、当該改版タグが埋め込まれた箇所の表示色を前記表示属性として記憶するものであっても良い。
【０００８】
この構成によれば、改版された文書を端末に表示する場合、改版により更新された箇所が、改版番号に応じて段階的に異なる表示属性（表示サイズ、表示色）で表示される。
【０００９】
そのため、利用者が文書の更新箇所を容易に把握することができるだけでなく、更新箇所がどの版において更新されたかといったことまでも把握することができる。
【発明の効果】
【００１０】
以上説明したように本発明によれば、更新履歴管理部が、最新版の文書ソースとの差分が抽出されるたびにカウントされるカウント値を改版番号として管理し、最新版の文書ソースとの差分が抽出されると、差分が抽出された箇所に改版番号を付記した改版タグを埋め込み、改版タグが埋め込まれた文書ソースを記憶部に記憶させ、表示データ生成部が、記憶部に記憶された文書ソースを端末に送信するに際し、改版により更新された箇所の表示属性を改版番号に応じて段階的に異ならせる。
【００１１】
したがって、改版された文書を端末に表示する場合、改版により更新された箇所が、改版番号に応じて段階的に異なる表示属性で表示されるため、利用者が文書の更新箇所を容易に把握することができるという効果が得られるだけでなく、更新箇所がどの版において更新されたかといったことまでも把握することができるという効果も得られる。
【発明を実施するための最良の形態】
【００１２】
以下に、本発明を実施するための最良の形態について図面を参照して説明する。
【００１３】
図１を参照すると、本発明の一実施形態の文書共有システムは、利用者が共有する文書を管理する文書共有サーバ１と、利用者の各々が文書の閲覧や更新を行うために利用する利用者端末２−１，２−２とを有する。なお、図１においては、説明の便宜のために、２つの利用者端末２−１，２−２のみ図示しているが、利用者端末の数は３以上であっても良い。
【００１４】
文書共有サーバ１は、通信部１０１と、要求処理部１０２と、差分抽出部１０３と、更新履歴管理部１０４と、文書ソース管理部１０５と、記憶部１０６と、表示属性テーブル１０７と、表示データ生成部１０８とを有する。
【００１５】
通信部１０１は、利用者端末２−１，２−２と通信を行う。
【００１６】
要求処理部１０２は、利用者端末２−１，２−２からの要求を解析し、その要求に応じた処理を行うべき構成要素を制御する。したがって、差分抽出部１０３、更新履歴管理部１０４、文書ソース管理部１０５、および表示データ生成部１０８は、要求処理部１０２の制御の元で、下記の動作を行うことになる。
【００１７】
差分抽出部１０３は、利用者端末２−１，２−２から文書ソースが送信されてくると、その文書ソースと、記憶部１０６に記憶されている最新版の文書ソースとの差分を抽出する。
【００１８】
更新履歴管理部１０４は、差分抽出部１０３にて文書ソースの差分が抽出されると、文書が改版されたと判断し、文書ソース中の差分が抽出された箇所の前後に改版タグを埋め込む。このとき、更新履歴管理部１０４は、内部に設けられた不図示のカウンタのカウント値をインクリメントし、インクリメント後のカウント値を改版番号として改版タグに付記する。更新履歴管理部１０４は、文書ソースに改版タグを埋め込むと、その文書ソースを最新版の文書ソースとして記憶部１０６に記憶するよう文書ソース管理部１０５に指示する。
【００１９】
文書ソース管理部１０５は、利用者端末２−１，２−２から送信され、更新履歴管理部１０４にて改版タグが埋め込まれた最新版の文書ソースを記憶部１０６に記憶させる。
【００２０】
表示属性テーブル１０７は、改版タグの改版番号ごとに、その改版タグが埋め込まれた箇所を利用者端末２−１，２−２に表示する際の表示属性を記憶する。例えば、表示属性テーブル１０７は、図２に示すように、改版タグの改版番号ごとに、その改版タグが埋め込まれた箇所の表示サイズを表示属性として記憶する。なお、図２の例では、３つよりも前の版であれば表示サイズを一律としている。または、表示属性テーブル１０７は、改版タグの改版番号ごとに、その改版タグが埋め込まれた箇所の表示色を表示属性として記憶することとしても良い。
【００２１】
表示データ生成部１０８は、利用者端末２−１，２−２からの要求に応じて、利用者端末２−１，２−２で表示可能な表示データを利用者端末２−１，２−２に送信する。例えば、表示データ生成部１０８は、利用者端末２−１，２−２からの要求に応じて記憶部１０６に記憶されている文書ソースを利用者端末２−１，２−２に送信する場合、その文書ソースを利用者端末２−１，２−２で表示可能な表示データに変換した上で送信を行う。このとき、文書ソースに改版タグが埋め込まれていれば、表示属性テーブル１０７を参照して、文書ソース中の改版タグが埋め込まれている箇所（前後を改版タグで囲まれた箇所）の表示属性を、その改版タグに付記された改版番号に応じて設定する。
【００２２】
利用者端末２−１は、文書共有サーバ１で管理されている文書の閲覧や編集を行うためのブラウザ２０１と、ブラウザ２０１への入力を行う入力部２０２と、ブラウザ２０１から出力された画面を表示する画面出力部２０３とを有する。
【００２３】
以下、本実施形態の文書共有システムの動作について説明する。
【００２４】
最初に、利用者端末２−１の利用者が初版の新規文書を作成する場合の動作について説明する。
【００２５】
まず、利用者端末２−１の利用者は、ブラウザ２０１から文書共有サーバ１にアクセスする。すると、表示データ生成部１０８は、図３のメニュー画面を表示するための表示データを利用者端末２−１に送信する。このメニュー画面は、利用者端末２−１の画面出力部２０３に表示される。
【００２６】
次に、利用者端末２−１の利用者は、図３のメニュー画面において、“新規文書作成”のボタンを押す。すると、表示データ生成部１０８は、テキスト入力欄と“送信”ボタンとを含む図４の編集画面を表示するための表示データを利用者端末２−１に送信する。この編集画面は、利用者端末２−１の画面出力部２０３に表示される。
【００２７】
次に、利用者端末２−１の利用者は、図５に示すように、テキスト入力欄に文書の題名と本文の内容とを書き込み、“送信”ボタンを押す。すると、新規作成された文書ソースが利用者端末２−１のブラウザ２０１から文書共有サーバ１に送信される。
【００２８】
このとき、利用者端末２−１から送信されてきた文書ソースは初版であるため、その時点で記憶部１０６に最新版が記憶されていることはない。よって、差分抽出部１０３でも差分が抽出されないため、更新履歴管理部１０４は、文書に改版タグを埋め込むことはせず、カウンタのカウント値をインクリメントして“１”にすることのみを行う。また、文書ソース管理部１０５は、利用者端末２−１から送信されてきた文書ソースを、図６のソース形式で記憶部１０６に記憶させる。
【００２９】
続いて、利用者端末２−２の利用者が、利用者端末２−１の利用者により作成された初版の文書を閲覧する場合の動作について説明する。
【００３０】
まず、利用者端末２−２の利用者は、上述した方法で、利用者端末２−２の画面出力部２０３に図３のメニュー画面を表示する。
【００３１】
次に、利用者端末２−２の利用者は、図３のメニュー画面において、“登録文書一覧”のボタンを押す。すると、文書ソース管理部１０５は、記憶部１０６に記憶されている全ての文書ソースを表示データ生成部１０８に通知し、表示データ生成部１０８は、図７の文書一覧画面を表示するための表示データを利用者端末２−２に送信する。
【００３２】
次に、利用者端末２−２の利用者は、図７の文書一覧画面において、利用者端末２−１の利用者が作成した“○○のアイデア”を選択する。
【００３３】
次に、文書ソース管理部１０５は、記憶部１０６に記憶されている“○○のアイデア”の最新版の文書ソースを表示データ生成部１０８に渡す。この文書ソースは初版であり、改版タグは埋め込まれていない。このため、表示データ生成部１０８は、“○○のアイデア”の文書ソースの本文中の表示フォントを通常の２４ポイントに設定し、文書ソースを図８の表示データに変換した上で利用者端末２−２に送信する。これにより、利用者端末２−２の画面出力部２０３には図９の文書表示画面が表示される。
【００３４】
続いて、利用者端末２−２の利用者が、利用者端末２−１の利用者により作成された初版の文書を改版する場合の動作について説明する。
【００３５】
まず、利用者端末２−２の利用者は、図９の文書表示画面において、“編集”ボタンを押す。すると、表示データ生成部１０８は、図５の編集画面を表示するための表示データを利用者端末２−２に送信する。この編集画面のテキスト入力欄には、記憶部２０６に記憶されている最新版の文書の内容が予め入力された状態になっている。この編集画面は、利用者端末２−２の画面出力部２０３に表示される。
【００３６】
次に、利用者端末２−２の利用者は、図１０に示すように、テキスト入力欄の本文の内容を追加や変更などにより更新し、“送信”ボタンを押す。すると、更新後の文書ソースが利用者端末２−２のブラウザ２０１から文書共有サーバ１に送信される。
【００３７】
次に、差分抽出部１０３は、記憶部１０６に記憶されている最新版の文書ソースと利用者端末２−２から送信されてきた文書ソースとの差分を抽出する。ここでは、差分が抽出されるため、更新履歴管理部１０４は、文書が改版されたと判断し、カウンタのカウント値をインクリメントして“２”とし、改版番号“２”を付記した改版タグを差分が抽出された箇所の前後に埋め込む。そして、更新履歴管理部１０４は、この改版タグが埋め込まれた文書ソースを最新版の文書として記憶部１０６に記憶するよう文書ソース管理部１０５に指示し、文書ソース管理部１０５は、改版タグが埋め込まれた文書ソースを、図１１のソース形式で記憶部１０６に記憶させる。
【００３８】
続いて、利用者端末２−１の利用者が、利用者端末２−２の利用者により改版された文書を閲覧する場合の動作について説明する。
【００３９】
まず、利用者端末２−１の利用者は、上述した方法で、利用者端末２−２のブラウザ２０１に、図７の文書一覧画面を表示し、図７の文書一覧画面において、利用者端末２−２の利用者が改版した“○○のアイデア”を選択する。
【００４０】
次に、文書ソース管理部１０５は、記憶部１０６に記憶されている“○○のアイデア”の最新版の文書ソースを表示データ生成部１０８に渡す。この文書ソースは初版ではないため、改版番号“２”が付記された改版タグが埋め込まれている。このため、表示データ生成部１０８は、表示属性テーブル１０７を参照し、文書ソースの本文中の改版タグで前後が囲まれた箇所の表示フォントを２４ポイントに設定し、本文中のそれ以外の箇所の表示フォントを２０ポイントに設定し、文書ソースを図１２の表示データに変換した上で利用者端末２−１に送信する。これにより、利用者端末２−１の画面出力部２０３には、改版により更新された箇所の表示フォントを大きくした図１３の文書表示画面が表示される。
【００４１】
上述したように本実施形態においては、更新履歴管理部１０４は、文書が改版されるたびにカウントされるカウント値を改版番号として管理し、文書が改版されると、文書ソース中の改版により更新された箇所に改版番号を付記した改版タグを埋め込み、これを記憶部１０６に記憶させる。また、表示データ生成部１０８は、記憶部１０６に記憶された文書ソースを利用者端末２−１，２−２に送信するに際し、改版により更新された箇所の表示属性（表示フォント、表示色）を改版番号に応じて段階的に異ならせる。
【００４２】
したがって、利用者端末２−１，２−２に改版された文書を表示する場合、改版により更新された箇所が、改版番号に応じて段階的に異なる表示属性で表示される。そのため、利用者は、文書の更新箇所を容易に把握することができるだけでなく、更新箇所がどの版において更新されたかといったことまでも把握することができる。
【００４３】
なお、本発明においては、文書共有サーバ１の内部に、上記で説明した処理を実行するためのプログラムを記録した記録媒体を設けてもよい。この記録媒体は磁気ディスク、半導体メモリまたはその他の記録媒体であってもよい。このプログラムは、記録媒体から文書共有サーバ１に読み込まれ、文書共有サーバ１の動作を制御する。具体的には、文書共有サーバ１内の不図示のＣＰＵ（Central Processing Unit）がプログラムの制御により文書共有サーバ１内のハードウェア資源に特定の処理を行うよう指示することにより上記の処理が実現される。
【産業上の利用可能性】
【００４４】
本発明は、複数の利用者が自由に読み書きする電子掲示板や電子伝言板といった用途に適用可能である。また、本発明は、ソフトウェア開発におけるバージョン管理ツールといった用途にも適用可能である。
【図面の簡単な説明】
【００４５】
【図１】本発明の一実施形態の文書共有システムの構成を示す図である。
【図２】図１に示した表示属性テーブルの内容を示す図である。
【図３】図１に示した利用者端末に表示されるメニュー画面を示す図である。
【図４】図１に示した利用者端末に表示される編集画面を示す図である。
【図５】図１に示した利用者端末に表示される編集画面を示す図である。
【図６】図１に示した記憶部に記憶される、初版の文書ソースを示す図である。
【図７】図１に示した利用者端末に表示される文書一覧画面を示す図である。
【図８】図１に示した表示データ生成部にて変換される、初版の文書ソースの表示データを示す図である。
【図９】図１に示した利用者端末に表示される初版の文書の文書表示画面を示す図である。
【図１０】図１に示した利用者端末に表示される編集画面を示す図である。
【図１１】図１に示した記憶部に記憶される、改版後の文書ソースを示す図である。
【図１２】図１に示した表示データ生成部にて変換される、改版後の文書ソースの表示データを示す図である。
【図１３】図１に示した利用者端末に表示される改版後の文書の文書表示画面を示す図である。
【符号の説明】
【００４６】
１    文書共有サーバ
２−１，２−２    利用者端末
１０１    通信部
１０２    要求処理部
１０３    差分抽出部
１０４    更新履歴管理部
１０５    文書ソース管理部
１０６    記憶部
１０７    表示属性テーブル
１０８    表示データ生成部
２０１    ブラウザ
２０２    入力部
２０３    画面出力部
【図１】
2007257000.tif 000003
【図２】
2007257000.tif 000004
【図３】
2007257000.tif 000005
【図４】
2007257000.tif 000006
【図５】
2007257000.tif 000007
【図６】
2007257000.tif 000008
【図７】
2007257000.tif 000009
【図８】
2007257000.tif 000010
【図９】
2007257000.tif 000011
【図１０】
2007257000.tif 000012
【図１１】
2007257000.tif 000013
【図１２】
2007257000.tif 000014
【図１３】
2007257000.tif 000015